(57)【要約】【課題】コネクタハウジングの開口部をカバーで閉じる際に該開口部側のコネクタハウジングの内側の変形を矯正することができるコネクタを提供する。【解決手段】相手側端子に電気的に接続される電気接触部３２と電線が加締め固定される圧着部３３を有した端子３０と、この端子３０の電気接触部３２と圧着部３３を収容する端子収容室１２を形成したコネクタハウジング１１と、このコネクタハウジング１１の端子３０の圧着部３３側に断面略コ字状に形成された開口部１６を開閉するカバー２１を備えたコネクタ１０であって、開口部１６をコネクタハウジング１１の上壁１３ｂと下壁１３ｄ及び側壁１３ｃとで断面略コ字状に形成し、この開口部１６側の端子収容室１２に端子３０の圧着部３３を収容する際に、該圧着部３３の一対の圧着片３３ａ，３３ａを開口部１６側のコネクタハウジング１１の上壁１３ｂと下壁１３ｄに接触するように構成した。【選択図】図１６
2010073441.tif 000002
【特許請求の範囲】
【請求項１】
相手側端子に電気的に接続される電気接触部と電線が加締め固定される圧着部とを有した端子と、この端子の電気接触部と圧着部を収容する端子収容室を形成したコネクタハウジングと、このコネクタハウジングの前記端子の圧着部側に断面略コ字状に形成された開口部を開閉するカバーとを備えたコネクタであって、
前記開口部を前記コネクタハウジングの上壁と下壁及び側壁とで断面略コ字状に形成し、この断面略コ字状の開口部側の前記端子収容室に前記端子の圧着部を収容する際に、該圧着部を前記開口部側の前記コネクタハウジングの上壁と下壁に接触するように構成したことを特徴とするコネクタ。
【請求項２】
請求項１記載のコネクタであって、
前記端子の端子本体を平面Ｌ字状に形成し、このＬ字状の端子本体の一端に前記電気接触部を形成すると共に該端子本体の他端に前記圧着部を形成し、かつ、前記端子収容室を平面Ｌ字状に形成し、このＬ字状の端子収容室内に前記Ｌ字状の端子本体を前記圧着部が前記断面コ字状の開口部側に位置するように収容したことを特徴とするコネクタ。
【請求項３】
請求項１記載のコネクタであって、
前記端子の圧着部は前記電線の絶縁被覆部を加締める一対の圧着片を有し、この一対の圧着片の電線加締め形態として、一方の圧着片が他方の圧着片をラップするように前記電線の絶縁被覆部を加締めるオーバーラップ型、または両方の圧着片が前記電線の絶縁被覆部に食い込むように加締めるＢクランプ型をそれぞれ採用し、これらオーバーラップ型またはＢクランプ型の加締めクリンプハイトは、前記断面略コ字状の開口部側の前記コネクタハウジングの上壁と下壁間の側壁の高さと略同一に設定されていることを特徴とするコネクタ。
【発明の詳細な説明】
【技術分野】
【０００１】
本発明は、コネクタハウジングの端子を挿入する開口部をカバーで覆うようにしたコネクタに関する。
【背景技術】
【０００２】
この種のコネクタとして、図１７及び図１８に示すものがある（例えば、特許文献１参照。）。
【０００３】
このコネクタ１は、図１７及び図１８に示すように、図示しない端子を収容する端子収容室２ａを形成すると共に、該端子が挿入される開口部２ｂを形成した合成樹脂製のコネクタハウジング２と、このコネクタハウジング２の開口縁２ｃの下側に一体形成された一対のヒンジ部６，６を介して開口部２ｂを開閉するカバー７とを備えている。
【０００４】
このコネクタハウジング２の前壁には図示しない相手側端子が挿通する貫通孔２ｄを形成してある。また、カバー７には図示しない端子及び端子に接続された電線が挿通する貫通孔７ａを形成してある。
【０００５】
そして、ヒンジ部６を撓めてカバー７でコネクタハウジング２の開口部２ｂを閉じる際に、カバー７の両側に設けられた一対の係合アーム８，８がコネクタハウジング２の両側に設けられた上下各一対のガイド突起３，３に案内されてコネクタハウジング２の両側中央に設けられた一対のロック突起４，４に係止されると共に、カバー７の上端部中央に設けられたアーム状のロック片９がコネクタハウジング２の上面中央に設けられたブリッジ状のロック受け片５に係止されるようになっている。
【特許文献１】特開２００２−３０７９６号公報（図２、図４）
【特許文献２】特開２００６−３１８８０１号公報（図４、図５）
【発明の開示】
【発明が解決しようとする課題】
【０００６】
前記従来のコネクタ１では、コネクタハウジング２の開口部２ｂをカバー７で閉じる際に、カバー７の内面に形成された四角環状の凹部７ｂが開口部２ｂの開口縁２ｃに入り込んで閉塞されるようになっているが、成形時の収縮等によりコネクタハウジング２の開口部２ｂが内側に変形（内倒れ）している場合にはカバー７を閉じることができなかった。
【０００７】
また、コネクタハウジング２の端子収容室２ａに収容される端子は、相手側端子に電気的に接続される電気接触部と電線が加締め固定される圧着部とが一直線上に形成されているため、この一直線状の端子に大径の電線を圧着して使用する場合には、カバー７の貫通孔７ａから外に出た電線を折り曲げる作業が必要となるが、この大径の電線は折り曲げ難く、車両のエンジンルーム内等の狭いスペースに設置することが難しかった。
【０００８】
そこで、本発明は、前記した課題を解決すべくなされたものであり、コネクタハウジングの開口部をカバーで閉じる際に該開口部側のコネクタハウジングの内側の変形を矯正することができるコネクタを提供することを目的とする。
【課題を解決するための手段】
【０００９】
請求項１の発明は、相手側端子に電気的に接続される電気接触部と電線が加締め固定される圧着部とを有した端子と、この端子の電気接触部と圧着部を収容する端子収容室を形成したコネクタハウジングと、このコネクタハウジングの前記端子の圧着部側に断面略コ字状に形成された開口部を開閉するカバーとを備えたコネクタであって、前記開口部を前記コネクタハウジングの上壁と下壁及び側壁とで断面略コ字状に形成し、この断面略コ字状の開口部側の前記端子収容室に前記端子の圧着部を収容する際に、該圧着部を前記開口部側の前記コネクタハウジングの上壁と下壁に接触するように構成したことを特徴とする。
【００１０】
請求項２の発明は、請求項１記載のコネクタであって、前記端子の端子本体を平面Ｌ字状に形成し、このＬ字状の端子本体の一端に前記電気接触部を形成すると共に該端子本体の他端に前記圧着部を形成し、かつ、前記端子収容室を平面Ｌ字状に形成し、このＬ字状の端子収容室内に前記Ｌ字状の端子本体を前記圧着部が前記断面コ字状の開口部側に位置するように収容したことを特徴とする。
【００１１】
請求項３の発明は、請求項１記載のコネクタであって、前記端子の圧着部は前記電線の絶縁被覆部を加締める一対の圧着片を有し、この一対の圧着片の電線加締め形態として、一方の圧着片が他方の圧着片をラップするように前記電線の絶縁被覆部を加締めるオーバーラップ型、または両方の圧着片が前記電線の絶縁被覆部に食い込むように加締めるＢクランプ型をそれぞれ採用し、これらオーバーラップ型またはＢクランプ型の加締めクリンプハイトは、前記断面略コ字状の開口部側の前記コネクタハウジングの上壁と下壁間の側壁の高さと略同一に設定されていることを特徴とする。
【発明の効果】
【００１２】
以上説明したように、請求項１の発明によれば、開口部をコネクタハウジングの上壁と下壁及び側壁とで断面略コ字状に形成し、この断面略コ字状の開口部側の端子収容室に端子の圧着部を収容する際に、該圧着部を開口部側のコネクタハウジングの上壁と下壁に接触するように構成したことにより、コネクタハウジングの開口部から端子収容室内に端子を収容する際に、該端子の圧着部を利用して該開口部側のコネクタハウジングの上壁及び下壁の内側の変形を簡単かつ確実に矯正することができる。
【００１３】
請求項２の発明によれば、端子の端子本体を平面Ｌ字状に形成し、このＬ字状の端子本体の一端に電気接触部を形成すると共に該端子本体の他端に圧着部を形成し、かつ、端子収容室を平面Ｌ字状に形成し、このＬ字状の端子収容室内にＬ字状の端子本体を圧着部が断面コ字状の開口部側に位置するように収容したことにより、大電流供給用の太い電線を使用しても該電線を略直角に折り曲げる必要がなく、車両等の狭いスペースにコネクタを簡単に組み付けることができて狭いスペースを有効に活用することができる。
【００１４】
請求項３の発明によれば、端子の圧着部は電線の絶縁被覆部を加締める一対の圧着片を有し、この一対の圧着片の電線加締め形態として、一方の圧着片が他方の圧着片をラップするように電線の絶縁被覆部を加締めるオーバーラップ型、または両方の圧着片が電線の絶縁被覆部に食い込むように加締めるＢクランプ型をそれぞれ採用し、これらオーバーラップ型またはＢクランプ型の加締めクリンプハイトは、断面略コ字状の開口部側のコネクタハウジングの上壁と下壁間の側壁の高さと略同一に設定されていることにより、コネクタハウジングの開口部から端子収容室内に端子を収容する際に、該端子のオーバーラップ型またはＢクランプ型の圧着部の一対の圧着片を利用して該開口部側のコネクタハウジングの上壁及び下壁の内側の変形を簡単かつ確実に矯正することができる。これにより、合成樹脂製のコネクタを、設計図面の寸法通りに製造し、製品合格になるまでにかかる成形時間を大幅に短縮することができる。
【発明を実施するための最良の形態】
【００１５】
以下、本発明の一実施形態を図面に基づいて説明する。
【００１６】
図１は本発明の一実施形態のコネクタのカバーを開いた状態を示す斜視図、図２は同コネクタのカバーを開いた状態を示す背面図、図３は図２中Ｘ−Ｘ線に沿う断面図、図４は図３中Ｙ−Ｙ線に沿う断面図、図５（ａ）は上記カバーを閉じる前の状態を示す平面図、図５（ｂ）は同カバーを閉じる途中の状態を示す平面図、図５（ｃ）は同カバーを閉じた状態を示す平面図、図６（ａ）は同カバーに一体成形されたヒンジ部をその中央領域で撓み変形させて同カバーを閉じる前の状態を示す要部の断面図、図６（ｂ）は同カバーを閉じた状態を示す要部の断面図、図７は同ヒンジ部をカバー側近傍領域で撓み変形させてカバーを閉じる前の状態を示す要部の断面図、図８は同ヒンジ部をハウジング側近傍領域で撓み変形させて上記カバーを閉じる前の状態を示す要部の断面図、図９は同コネクタのカバーを閉じる前の状態を示す断面図、図１０は同コネクタのカバーを閉じる前の状態を示す他の断面図、図１１は同コネクタのカバーを閉じた状態を示す要部の断面図、図１２は同コネクタのカバーを閉じた状態を示す背面図、図１３（ａ）は同コネクタのカバーを閉じた状態の同カバーと端子の関係を示す断面図、図１３（ｂ）は同閉じた状態の要部の拡大断面図、図１４は同コネクタに収容されるＬ字型の端子の背面図、図１５は同Ｌ字型の端子の側面図、図１６（ａ）は同コネクタにＬ字型の端子を収容する前の状態を示す断面図、図１６（ｂ）は同コネクタに他の態様のＬ字型の端子を収容する前の状態を示す断面図である。
【００１７】
図１〜図５に示すように、コネクタ１０は、相手側コネクタ５０の相手側端子５１に電気的に接続される電気接触部３２と電線４０が加締め固定される圧着部３３とを有したＬ字型の端子３０と、この端子３０の電気接触部３２と圧着部３３を収容する端子収容室１２を形成すると共に、該端子３０の圧着部３３側が収容される開口部１６を上壁１３ｂと下壁１３ｄ及び側壁１３ｃとで断面略コ字状に形成した合成樹脂製のコネクタハウジング１１と、このコネクタハウジング１１に一体形成されたヒンジ部２０を介して開口部１６を開閉する合成樹脂製のカバー２１とを備えている。
【００１８】
図１，図３，図５に示すように、コネクタハウジング１１は、合成樹脂により箱形で平面Ｌ字状に形成してあり、その内部に平面Ｌ字状の端子収容室１２を形成してある。このコネクタハウジング１１の前壁１３ａには相手側端子５１が挿通される貫通孔１４を形成してある。また、図４，図９，図１０に示すように、コネクタハウジング１１の上壁１３ｂの内面には、後述する端子３０の電気接触部３２が係止されるランス（可撓性係止部）１５を一体突出形成してある。さらに、コネクタハウジング１１の後側は断面略コ字状に開口した開口部１６になっている。即ち、この開口部１６は、コネクタハウジング１１の上壁１３ｂと下壁１３ｄ及び側壁１３ｃとで断面略コ字状に形成してある。
【００１９】
そして、図３に示すように、コネクタハウジング１１の断面略コ字状の開口部１６から平面Ｌ字状の端子収容室１２内にＬ字型の端子３０が挿入されて収容されると、端子３０の圧着部３３及び端子３０の端子本体３１の基部３１ｃが断面略コ字状の開口部１６側に位置するようになっている。この断面略コ字状の開口部１６側の端子収容室１２に端子３０の圧着部３３を収容する際に、図１６に示すように、端子３０の圧着部３３が開口部１６側のコネクタハウジング１１の上壁１３ｂと下壁１３ｄに接触するようになっている。
【００２０】
また、図１，図２，図４に示すように、コネクタハウジング１１の上壁１３ｂの長手方向の中央には、相手側コネクタ５０を係止、離脱させるロックアーム１７を一体突出形成してある。さらに、コネクタハウジング１１の上壁１３ｂの開口部１６側のロックアーム１７に相対向する位置には、先端部が鉤状の係止爪（係止部）１８ａを一体突出形成してあると共に、該コネクタハウジング１１の下壁１３ｄの開口部１６側の係止爪１８ａに相対向する位置には、溝状の凹部１８ｂを形成してある。また、コネクタハウジング１１の上壁１３ｂと下壁１３ｄの開口部１６側の端子３０の圧着部３３に相対向する位置には先端部が鉤状の係止爪（係止部）１８ｃ，１８ｃをそれぞれ一体突出形成してある。さらに、コネクタハウジング１１の上壁１３ｂの内面の開口部１６側の中央（コネクタハウジング１１の反対側の側壁１３ｅに対向する位置）には、ガイド受けリブ１９を一体突出形成してある。さらに、コネクタハウジング１１の側壁１３ｃの後端縁とカバー２１の一端縁には、両者を掛け渡すように上下一対のヒンジ部２０，２０を一体突出形成してある。
【００２１】
図１〜図３及び図５〜図１２に示すように、カバー２１は略矩形板状のカバー本体２２を有している。このカバー本体２２の上下端側のコネクタハウジング１１の先端部が鉤状の各係止爪１８ａ，１８ｃに対向する位置には、略四角枠状の係合部２３を該カバー本体２２に対して垂直に起立するようにそれぞれ一体突出形成してある。これら係合部２３と係止爪１８ａ，１８ｃとでコネクタハウジング１１の断面略コ字状の開口部１６を成す上壁１３ｂと側壁１３ｃ及び下壁１３ｄとカバー２１との閉状態をロックするロック手段が構成されている。さらに、図２に示すように、カバー本体２２の内面下側のコネクタハウジング１１の下壁１３ｄの凹部１８ｂに対向する位置には、該凹部１８ｂ内に嵌め込まれる幅狭突起２４ａと該凹部１８ｂの外側に当たる幅広突起２４ｂとをそれぞれ一体突出形成してある。
【００２２】
図２，図６〜図８に示すように、カバー２１のカバー本体２２の内面の幅狭突起２４ａの上方には、各ヒンジ部２０の中央領域以外のハウジング側近傍領域またはカバー側近傍領域で該各ヒンジ部２０が撓み変形した場合に、コネクタハウジング１１の上壁１３ｂの内面に形成されたガイド受けリブ１９またはコネクタハウジング１１の側壁１３ｃと互いに干渉して該カバー本体２２を開口部１６の適切な遮蔽位置に案内する傾斜壁２５ａを有した略四角筒状のガイド突起２５を一体突出形成してある。即ち、図８に示すように、各ヒンジ部２０がハウジング側近傍領域で撓み変形（ハウジング根元曲がり）した場合に、カバー２１のカバー本体２２の内面に一体突出形成されたガイド突起２５の傾斜壁２５ａがコネクタハウジング１１の上壁１３ｂの内面に形成されたガイド受けリブ１９に当たることにより、カバー本体２２が開口部１６の適切な遮蔽位置に案内されるようになっている。また、図７に示すように、各ヒンジ部２０がカバー側近傍領域で撓み変形（カバー根元曲がり）した場合に、ガイド突起２５の起立壁２５ｃがコネクタハウジング１１の側壁１３ｃに当たることにより、カバー本体２２が開口部１６の適切な遮蔽位置に案内されるようになっている。
【００２３】
また、図９及び図１３（ａ）に示すように、カバー２１のカバー本体２２に一体突出形成されたガイド突起２５の上壁２５ｂは、カバー２１による開口部１６の閉時に該開口部側のコネクタハウジング１１の上壁１３ｂの内側への変形を矯正する矯正部となっている。また、ガイド突起２５の下壁２５ｄは、カバー２１による開口部１６の閉時に該開口部側のコネクタハウジング１１の下壁１３ｄとの間で端子３０の端子本体３１を挾持する押さえ部となっている。さらに、ガイド突起２５の起立壁２５ｃは、上壁２５ｂと下壁２５ｄとの間に端子３０及びコネクタハウジング１１の下壁１３ｄからの反力を上壁１３ｂに伝える支持部となっている。即ち、この支持部としてのガイド突起２５の起立壁２５ｃは、ガイド突起２５の下壁２５ｄとコネクタハウジング１１の下壁１３ｄとの間で端子３０の端子本体３１を挾持する挾持機能を高めるものである。さらに、図１３（ｂ）に示すように、ガイド突起２５の下壁２５ｄの先端には傾斜面２５ｅを形成してある。この傾斜面２５ｅにより、カバー２１による開口部１６の閉時に、ガイド突起２５の下壁２５ｄの先端が端子本体３１の基部３１ｃに突き当たることがなく該カバー２１がスムーズに閉められるようになっている。
【００２４】
さらに、図２，図１０，図１１に示すように、カバー２１のカバー本体２２の上下縁部のガイド突起２５の反対側（開口部１６内の端子３０の圧着部３３に対向する側）には、一対の内倒れ矯正拾いリブ２６，２７を一体突出形成してある。
【００２５】
図３，図１３〜図１６に示すように、端子３０の端子本体３１は平面Ｌ字状に形成してある。このＬ字状の端子本体３１の一端３１ａには相手側端子５１が接続される箱形の電気接触部３２を折り曲げ形成してある。また、端子本体３１の他端３１ｂには電線４０が加締固定される圧着部３３を折り曲げ形成してある。
【００２６】
端子３０の箱形の電気接触部３２の上面の中央には、ランス１５が係止される矩形の係合孔３２ａを形成してある。また、端子３０の圧着部３３は、電線４０の絶縁被覆部４１を加締め固定する一対の圧着片３３ａ，３３ａと電線４０の芯線４２を加締め固定する一対の圧着片３３ｂ，３３ｂとを有している。この一対の圧着片３３ａ，３３ａの電線加締め形態として、一方の圧着片３３ａが他方の圧着片３３ａをラップするように電線４０の絶縁被覆部４１を加締めるオーバーラップ型、または、両方の圧着片３３ａ，３３ａが電線４０の絶縁被覆部４１に食い込むように加締めるＢクランプ型をそれぞれ採用してある。これらオーバーラップ型またはＢクランプ型の加締めクリンプハイト（高さＨ）は、断面略コ字状の開口部１６側のコネクタハウジング１１の上壁１３ｂの内面と下壁１３ｄの内面間の側壁１３ｃの高さと略同一に設定されている。
【００２７】
尚、図１，図３に示すように、コネクタハウジング１１の上壁１３ｂと下壁１３ｄの後端（開口部１６側の端部）のカバー２１の略四角枠状の係合部２３と幅広突起２４ｂに相対向する位置には、切り欠き１３ｆを形成してある。また、図３に示すように、コネクタハウジング１１の断面Ｌ字形の他方の側壁１３ｅと上壁１３ｂ及び下壁１３ｄで形成される断面略コ字状の開口部１６′側から電線４０が外へ導出されるようになっている。
【００２８】
以上実施形態のコネクタ１０によれば、図３に示すように、コネクタハウジング１１の平面Ｌ字状の端子収容室１２内に、端子３０の平面Ｌ字状の端子本体３１をその圧着部３３がコネクタハウジング１１の断面コ字状の開口部１６側に位置するように収容したことにより、大電流供給用の太い電線４０を使用しても、通常のストレート形状の端子を使用した場合のように、電線４０を略直角に折り曲げる必要がなく、例えば、エンジンルーム内の狭いスペースに簡単に組み付けることができ、エンジンルーム内のスペースを有効に活用することができる。
【００２９】
また、コネクタハウジング１１の開口部１６をその上壁１３ｂと下壁１３ｄ及び側壁１３ｃとで断面略コ字状に形成し、この断面略コ字状の開口部１６側の端子収容室１２に端子３０の圧着部３３を収容する際に、該圧着部３３を開口部１６側のコネクタハウジング１１の上壁１３ｂと下壁１３ｄに接触するように構成したことにより、コネクタハウジング１１の開口部１６から端子収容室１２内に端子３０を収容する際に、開口部１６側のコネクタハウジング１１の上壁１３ｂ及び下壁１３ｄとの間に端子３０の圧着部３３が押し込まれることで、該端子３０の圧着部３３の湾曲部を利用して上壁１３ｂ及び下壁１３ｄの内側の変形（内倒れ）を矯正して正規の位置へ押し拡げることができる。
【００３０】
さらに、端子３０の圧着部３３は電線４０の絶縁被覆部４１を加締める一対の圧着片３３ａ，３３ａを有し、この一対の圧着片３３ａ，３３ａの電線加締め形態として、一方の圧着片３３ａが他方の圧着片３３ａをラップするように電線４０の絶縁被覆部４１を加締めるオーバーラップ型、または、両方の圧着片３３ａ，３３ａが電線４０の絶縁被覆部４１に食い込むように加締めるＢクランプ型をそれぞれ採用し、これらオーバーラップ型またはＢクランプ型の加締めクリンプハイト（Ｈ）は、断面略コ字状の開口部１６側のコネクタハウジング１１の上壁１３ｂと下壁１３ｄ間の側壁１３ｃの高さと略同一に設定されていることにより、図１６（ａ），（ｂ）に示すように、コネクタハウジング１１の開口部１６から端子収容室１２内に端子３０を収容する際に、開口部１６側のコネクタハウジング１１の上壁１３ｂ及び下壁１３ｄとの間に端子３０のＢクランプ型或いはオーバーラップ型の圧着部３３の一対の圧着片３３ａ，３３ａが押し込まれることで、当該圧着部３３の一対の圧着片３３ａ，３３ａのアール（Ｒ）部を利用して上壁１３ｂ及び下壁１３ｄの内側の変形（内倒れ）を矯正して正規の位置へ押し拡げることができる。
【００３１】
よって、コネクタ１０のコネクタハウジング１１を樹脂成形する場合には、樹脂の硬化等により、開口部１６側のコネクタハウジング１１の上壁１３ｂ及び下壁１３ｄが内側に変形（内倒れ）し易いが、端子３０のＢクランプ型或いはオーバーラップ型の加締めクリンプハイト（Ｈ）を理想寸法に合わせておけば、上記の内倒れ変形を端子３０の圧着部３３の一対の圧着片３３ａ，３３ａを利用して簡単かつ確実に矯正することができるため、プラスチック製のコネクタ１０を、設計の図面寸法値通りに製造し、製品合格になるまでにかかる成形時間を大幅に短縮することができる。
【００３２】
尚、前記実施形態によれば、大電流供給用の太い電線を使用した場合について説明したが、小電流供給用の細い電線に使用した場合にも適用できることは勿論である。
【図面の簡単な説明】
【００３３】
【図１】本発明の一実施形態のコネクタのカバーを開いた状態を示す斜視図である。
【図２】上記コネクタのカバーを開いた状態を示す背面図である。
【図３】図２中Ｘ−Ｘ線に沿う断面図である。
【図４】図３中Ｙ−Ｙ線に沿う断面図である。
【図５】（ａ）は上記カバーを閉じる前の状態を示す平面図、（ｂ）は同カバーを閉じる途中の状態を示す平面図、（ｃ）は同カバーを閉じた状態を示す平面図である。
【図６】（ａ）は上記カバーに一体成形されたヒンジ部をその中央領域で撓み変形させて同カバーを閉じる前の状態を示す要部の断面図、（ｂ）は同カバーを閉じた状態を示す要部の断面図である。
【図７】上記ヒンジ部をカバー側近傍領域で撓み変形させて上記カバーを閉じる前の状態を示す要部の断面図である。
【図８】上記ヒンジ部をハウジング側近傍領域で撓み変形させて上記カバーを閉じる前の状態を示す要部の断面図である。
【図９】上記コネクタのカバーを閉じる前の状態を示す断面図である。
【図１０】上記コネクタのカバーを閉じる前の状態を示す他の断面図である。
【図１１】上記コネクタのカバーを閉じた状態を示す要部の断面図である。
【図１２】上記コネクタのカバーを閉じた状態を示す背面図である。
【図１３】（ａ）は上記コネクタのカバーを閉じた状態の同カバーと端子の関係を示す断面図、（ｂ）は同閉じた状態の要部の拡大断面図である。
【図１４】上記コネクタに収容されるＬ字型の端子の背面図である。
【図１５】上記Ｌ字型の端子の側面図である。
【図１６】（ａ）は上記コネクタにＬ字型の端子を収容する前の状態を示す断面図、（ｂ）は同コネクタに他の態様のＬ字型の端子を収容する前の状態を示す断面図である。
【図１７】従来のコネクタの断面図である。
【図１８】上記従来のコネクタの背面図である。
【符号の説明】
【００３４】
１０  コネクタ
１１  コネクタハウジング
１２  端子収容室
１３ｂ  上壁
１３ｃ  側壁
１３ｄ  下壁
１６  開口部
２１  カバー
３０  端子
３１  端子本体
３１ａ  一端
３１ｂ  他端
３２  電気接触部
３３  圧着部
３３ａ，３３ａ  一対の圧着片
４０  電線
４１  絶縁被覆部
５１  相手側端子
Ｈ  加締めクリンプハイト（高さ）
【図１】
2010073441.tif 000003
【図２】
2010073441.tif 000004
【図３】
2010073441.tif 000005
【図４】
2010073441.tif 000006
【図５】
2010073441.tif 000007
【図６】
2010073441.tif 000008
【図７】
2010073441.tif 000009
【図８】
2010073441.tif 000010
【図９】
2010073441.tif 000011
【図１０】
2010073441.tif 000012
【図１１】
2010073441.tif 000013
【図１２】
2010073441.tif 000014
【図１３】
2010073441.tif 000015
【図１４】
2010073441.tif 000016
【図１５】
2010073441.tif 000017
【図１６】
2010073441.tif 000018
【図１７】
2010073441.tif 000019
【図１８】
2010073441.tif 000020
【手続補正書】
【提出日】平成21年7月10日(2009.7.10)
【手続補正１】
【補正対象書類名】明細書
【補正対象項目名】０００５
【補正方法】変更
【補正の内容】
【０００５】
そして、ヒンジ部６を撓めてカバー７でコネクタハウジング２の開口部２ｂを閉じる際に、カバー７の両側に設けられた一対の係合アーム８，８がコネクタハウジング２の両側に設けられた上下各一対のガイド突起３，３に案内されてコネクタハウジング２の両側中央に設けられた一対のロック突起４，４に係止されると共に、カバー７の上端部中央に設けられたアーム状のロック片９がコネクタハウジング２の上面中央に設けられたブリッジ状のロック受け片５に係止されるようになっている。
【特許文献１】特開２０００−３０７９６号公報（図２、図４）
【特許文献２】特開２００６−３１８８０１号公報（図４、図５）